(57)【要約】【課題】ブラウザを搭載しなくても既存の電子番組表示機能を用いて容易にインターネット上に存在するコンテンツにアクセスし、これを視聴できるテレビジョン受信装置を提供すること。【解決手段】コンテンツを配信しているサイトのＵＲＬを参照し、このサイトにコンテンツに関するデータが記述されたＨＴＭＬデータの送信要求（ＨＴＭＬリクエスト）を行う（ステップＳ１１）。ＨＴＭＬリクエストに応じて、コンテンツを配信しているサイトが送信したＨＴＭＬデータを受信し（ステップＳ１２）、受信したＨＴＭＬデータを解析する（ステップＳ１３）。ステップＳ１３における解析結果をもとに、コンテンツに関するデータを抽出し（ステップＳ１４）、イベントリストを作成する（ステップＳ１５）。作成したイベントリストからコンテンツ用ＥＰＧを作成する（ステップＳ１６）。【選択図】図５
2008072163.tif 000002
【特許請求の範囲】
【請求項１】
インターネット接続手段と、電子番組表作成手段と、電子番組表表示手段とを備えたテレビジョン受信装置であって、
前記インターネット接続手段を介して、各種コンテンツを配信しているサイトにアクセスして当該コンテンツに関するデータを受信し、
受信したコンテンツに関するデータから当該コンテンツに関するガイド情報を抽出し、
前記電子番組表作成手段は、前記サイトに関する情報及び抽出した当該コンテンツに関するガイド情報を基に電子番組表を作成し、
前記電子番組表作成手段にて作成した電子番組表を前記電子番組表表示手段にて表示すること特徴とするテレビジョン受信装置。
【請求項２】
前記電子番組表作成手段は、前記サイト毎に当該サイトに関する情報と当該サイトが配信するコンテンツに関するガイド情報とが対応しているイベントリストを作成し、該イベントリストを基に電子番組表を作成することを特徴とする請求項１に記載のテレビジョン受信装置。
【請求項３】
前記電子番組表のサイトに関する情報は、サイト名であることを特徴とする請求項１又は２に記載のテレビジョン受信装置。
【請求項４】
前記電子番組表のコンテンツに関するガイド情報は、コンテンツ名を含むことを特徴とする請求項１又は２に記載のテレビジョン受信装置。
【請求項５】
前記テレビジョン受信装置は、さらに、コンテンツ再生手段を備え、前記電子番組表に表示されたコンテンツ名の選択操作により、選択したコンテンツを前記コンテンツ再生手段にて再生することを特徴とする請求項４に記載のテレビジョン受信装置。
【請求項６】
前記テレビジョン受信装置は、さらに、コンテンツ記録手段を備え、前記電子番組表に表示されたコンテンツ名の選択操作により、選択したコンテンツを前記コンテンツ記録手段にて記録することを特徴とする請求項４に記載のテレビジョン受信装置。
【請求項７】
請求項１〜６のいずれか１項に記載のテレビジョン受信装置を備えた表示装置。
【請求項８】
インターネット接続手段を備えたテレビジョン受信装置における電子番組表の作成方法であって、
前記インターネット接続手段を介して、各種コンテンツを配信しているサイトにアクセスして当該コンテンツに関するデータを受信するステップと、
受信したコンテンツに関するデータから当該コンテンツに関するガイド情報を抽出するステップと、
前記サイトに関する情報及び抽出した当該コンテンツに関するガイド情報を基に電子番組表を作成するステップと、
を有することを特徴とする電子番組表の作成方法。
【請求項９】
前記サイト毎に当該サイトに関する情報と当該サイトが配信するコンテンツに関するガイド情報とが対応しているイベントリストを作成するステップと、
該イベントリストを基に電子番組表を作成するステップと、
を有することを特徴とする請求項８に記載の電子番組表の作成方法。
【請求項１０】
前記電子番組表のサイトに関する情報は、サイト名であることを特徴とする請求項８又は９に記載の電子番組表の作成方法。
【請求項１１】
前記電子番組表のコンテンツに関するガイド情報は、コンテンツ名を含むことを特徴とする請求項８又は９に記載の電子番組表の作成方法。
【請求項１２】
請求項８〜１１のいずれか１項に記載の電子番組表の作成方法を実現するプログラム。
【発明の詳細な説明】
【技術分野】
【０００１】
本発明は、ＥＰＧ表示機能及びインターネット接続機能を備えたテレビジョン受信装置、テレビジョン受信装置を備えた表示装置、及び、電子番組表の作成方法に関する。
【背景技術】
【０００２】
現在、ＥＰＧ表示機能及びインターネット接続機能を備えたテレビジョン受信装置は広く一般に普及している。また、視聴する番組を選択する際の操作性を向上させるために様々なユーザインターフェースが提案されている。
例えば、特許文献１には、サーバ内のＸＭＬ形式で記述された番組情報をテレビジョン受信装置にダウンロードし、この番組情報を参照することでユーザが好みの番組情報を選択できるようにして番組選択時の操作性を向上させた技術が開示されている。
また、特許文献２には、ＥＰＧ（電子番組表）に番組に関するホームページのＵＲＬを表示し、ユーザが番組を選択すると、選択した番組及びこの番組のホームページをテレビジョン受信装置の画面に表示する技術が開示されている。
【特許文献１】特開２００１−１８６４９７号公報
【特許文献２】特開平１１−２７５５３７号公報
【発明の開示】
【発明が解決しようとする課題】
【０００３】
しかし、特許文献１に開示された技術では、あらかじめＸＭＬ形式で記述された番組情報を作成し、サーバに記録しなければならず、番組情報の作成及び記録処理に手間がかかるという問題があった。また、この番組情報を表示するためにはＸＭＬ形式で記述されたデータを解析できるブラウザを開発しなければならずテレビジョン受信装置の製造コスト及び製造工程が増大してしまうという問題があった。
【０００４】
また、特許文献２に開示された技術では、単に番組に関するホームページにアクセスできるだけであり、インターネット上に存在する動画データ等のコンテンツにアクセスすることはできなかった。また、特許文献１と同様にテレビジョン受信装置にホームページを表示するためのブラウザを搭載しなければならずテレビジョン受信装置の製造コスト及び製造工程が増大してしまうという問題があった。
【０００５】
さらに、上述した技術を用いてもユーザがインターネット上に存在するコンテンツにアクセスする場合には、検索エンジン等を利用してユーザ自らがブラウザを操作してコンテンツにアクセスしなければならない。そのため、リモコンを操作して、コンテンツを検索するためのキーワードや、コンテンツのＵＲＬを入力しなければならず、操作性が著しく悪いという問題があった。
【０００６】
本発明はかかる事情に鑑みてなされたものであり、ブラウザを搭載しなくても既存の電子番組表示機能を用いて容易にインターネット上に存在するコンテンツにアクセスし、これを視聴できるテレビジョン受信装置、テレビジョン受信装置を備えた表示装置、及び、
電子番組表の作成方法を提供することを目的とする。
【課題を解決するための手段】
【０００７】
第１の技術手段は、インターネット接続手段と、電子番組表作成手段と、電子番組表表示手段とを備えたテレビジョン受信装置であって、前記インターネット接続手段を介して、各種コンテンツを配信しているサイトにアクセスして当該コンテンツに関するデータを受信し、受信したコンテンツに関するデータから当該コンテンツに関するガイド情報を抽出し、前記電子番組表作成手段は、前記サイトに関する情報及び抽出した当該コンテンツに関するガイド情報を基に電子番組表を作成し、前記電子番組表作成手段にて作成した電子番組表を前記電子番組表表示手段にて表示することを特徴とするものである。
【０００８】
第２の技術手段は、第１の技術手段において、前記電子番組表作成手段は、前記サイト毎に当該サイトに関する情報と当該サイトが配信するコンテンツに関するガイド情報とが対応しているイベントリストを作成し、該イベントリストを基に電子番組表を作成することを特徴とするものである。
【０００９】
第３の技術手段は、第１又は２の技術手段において、前記電子番組表のサイトに関する情報は、サイト名であることを特徴とするものである。
【００１０】
第４の技術手段は、第１又は２の技術手段において、前記電子番組表のコンテンツに関するガイド情報は、コンテンツ名を含むことを特徴とするものである。
【００１１】
第５の技術手段は、第４の技術手段において、前記テレビジョン受信装置は、さらに、コンテンツ再生手段を備え、前記電子番組表に表示されたコンテンツ名の選択操作により、選択したコンテンツを前記コンテンツ再生手段にて再生することを特徴とするものである。
【００１２】
第６の技術手段は、第４の技術手段において、前記テレビジョン受信装置は、さらに、コンテンツ記録手段を備え、前記電子番組表に表示されたコンテンツ名の選択操作により、選択したコンテンツを前記コンテンツ記録手段にて記録することを特徴とするものである。
【００１３】
第７の技術手段は、第１〜６のいずれか１の技術手段のテレビジョン受信装置を備えた表示装置である。
【００１４】
第８の技術手段は、インターネット接続手段を備えたテレビジョン受信装置における電子番組表の作成方法であって、前記インターネット接続手段を介して、各種コンテンツを配信しているサイトにアクセスして当該コンテンツに関するデータを受信するステップと、受信したコンテンツに関するデータから当該コンテンツに関するガイド情報を抽出するステップと、前記サイトに関する情報及び抽出した当該コンテンツに関するガイド情報を基に電子番組表を作成するステップとを有することを特徴とするものである。
【００１５】
第９の技術手段は、第８の技術手段において、前記サイト毎に当該サイトに関する情報と当該サイトが配信するコンテンツに関するガイド情報とが対応しているイベントリストを作成するステップと、該イベントリストを基に電子番組表を作成するステップとを有することを特徴とするものである。
【００１６】
第１０の技術手段は、第８又は９の技術手段において、前記電子番組表のサイトに関する情報は、サイト名であることを特徴とするものである。
【００１７】
第１１の技術手段は、第８又は９の技術手段において、前記電子番組表のコンテンツに関するガイド情報は、コンテンツ名を含むことを特徴とするものである。
【００１８】
第１２の技術手段は、第８〜１１のいずれか１の技術手段における電子番組表の作成方法を実現するプログラムである。
【発明の効果】
【００１９】
本発明により、ブラウザを搭載しなくても既存の電子番組表示機能を用いて容易にインターネット上に存在するコンテンツにアクセスし、これを視聴できるテレビジョン受信装置、テレビジョン受信装置を備えた表示装置、及び、電子番組表の作成方法を提供することができる。
【発明を実施するための最良の形態】
【００２０】
（実施例１）
図１は、本発明に係わるテレビジョン受信装置のネットワーク図である。図１に示したように、テレビジョン受信装置１０は、インターネットを介してコンテンツを配信するサイト（サーバ）１に接続し、サイト１が配信しているコンテンツをデコードして液晶表示装置等のモニタ２，スピーカ３に出力する。さらに、テレビジョン受信装置１０は、アナログ放送用アンテナ４，デジタル放送用アンテナ５を介してアナログ放送，デジタル放送を受信し、モニタ２及びスピーカ３に出力する。なお、ユーザは、リモコン６を用いてテレビジョン受信装置１０を操作することができる。
【００２１】
図２は、本発明に係わるテレビジョン受信装置の実施例を説明するためのブロック図である。
図中、１０は、本発明に係わるテレビジョン受信装置で、１１はアナログ放送の受信信号をチューニングする（選局する）アナログチューナー部、１２はアナログ放送の受信データからオーディオデータ／ビデオデータを抽出するＡＶスイッチ部、１３はデジタル放送の受信信号をチューニングするデジタルチューナー部、１４はチューニングされたデジタル放送のデータを復調するデジタル復調部である。
【００２２】
１５はＬＡＮ等と接続するネットワークインターフェース部で、ＬＡＮから入力されたデータは、トランスポートプロトコルとしてＴＣＰデータとＵＤＰデータに分けられ、ＴＣＰデータは通信制御部４４へ送られ、ＷＥＢブラウジング等のインターネット通信に利用される。ＵＤＰ（ＲＴＰ）データはＩＰ放送チューナー部１６へ送られ、ネットワークパケットから、ＴＳ（Ｔｒａｎｓｐｏｒｔ  Ｓｔｒｅａｍ）パケットへ変換されて映像・音声ストリームや、ＳＩ（Ｓｅｒｖｉｃｅ  Ｉｎｆｏｒｍａｔｉｏｎ）専用ストリームとして分離部１７に入力する。
【００２３】
１７はＥＰＧデータ（ＳＩ）の抽出や、復調されたデータの分離を行う分離部（ＤＭＵＸ）、１８は分離されたデジタル放送のビデオデータまたはインターネット上に存在するコンテンツ（動画データ）をデコードしたり、ビデオ情報を静止画としてキャプチャするビデオデコード／キャプチャ部、１９はアナログ放送のビデオ信号とデジタル放送のビデオ信号との切換を行うビデオセレクタ部である。
【００２４】
２０は分離されたデジタル放送のオーディオデータまたはインターネット上に存在するコンテンツ（動画又は音声データ）をデコードするオーディオデコード部、２１はアナログ放送のオーディオ信号とデジタル放送のオーディオ信号の切換を行うオーディオセレクタ部である。
【００２５】
２２はセレクトされたビデオ信号とＥＰＧデータやＯＳＤデータとを合わせてからビデオ出力信号に変換するビデオ出力変換部、２３はセレクトされたオーディオ信号を出力信号に変換するオーディオ出力変換部である。
【００２６】
２４はアナログ放送、デジタル放送及びＩＰ放送の選局動作を行う選局部である。なお、ネットワークインターフェース部１５に対して、マルチキャストアドレスを設定してすることによりＩＰ放送（映像／音声ストリームまたはＳＩ専用ストリーム）の選局を行う。
【００２７】
３０はＥＰＧ／ＯＳＤ／予約データ処理部であり、図３で説明するＥＰＧの作成及び表示処理や、音量ゲージ等のＯＳＤを表示する処理を行うと共に、このＥＰＧを利用して番組の予約処理等を行う。例えば、図４（Ｂ）に示す電子番組表５３を作成し、作成した電子番組表５３をモニタ２に表示する。また、ユーザは、電子番組表５３を用いて、視聴又は予約したい番組を選択すれば、選択した番組を視聴又は予約することができる。
【００２８】
３１は本発明の特徴となるインターネット上に存在するコンテンツ用のＥＰＧを作成するコンテンツ用ＥＰＧ作成部である。ユーザは、このコンテンツ用のＥＰＧに表示されたコンテンツをカーソルで選択すれば、選択したコンテンツを再生又は記録することができる。このように、前述した電子番組表５３で番組を選択するのと同様に、インターネット上のコンテンツを選択し、再生又は記録することができる。
【００２９】
４０は任意のアドレスを指定して読み書きすることが可能なＲＡＭ、４１は各機能ブロックの制御処理等を行うＣＰＵである。
４２はビデオマウスを介して予約処理を実行するためのビデオマウスコネクタ、４３はビデオマウスで送信する信号の制御を行うビデオマウスマイコンである。
【００３０】
４４は電話回線、ＬＡＮ、インターネット等のネットワーク網との制御を行うと共に、ＥＰＧデータの受信等に使用される通信制御部、４５はユーザが操作するリモコン６からの信号を受信するリモコン受光部、４６はインターネット上に存在するコンテンツのＵＲＬ等を示したイベントリスト、コンテンツを配信しているサイト（サーバ）のＵＲＬ等が格納される書換え可能な不揮発性メモリである。
【００３１】
ユーザは、前述したＥＰＧを用いることで、通常の番組のみならずインターネット上に存在するコンテンツを選択し視聴することができる。
【００３２】
以下に、ＥＰＧの作成及び表示処理について説明する。
図３は、ＥＰＧ／ＯＳＤ／予約データ処理部３０におけるＥＰＧに係わるイベントリストの作成、ＥＰＧの作成及び表示処理を説明するためのフロー図である。
分離部１７で分離したＳＩ(番組配列情報：Ｓｅｒｖｉｃｅ  Ｉｎｆｏｒｍａｔｉｏｎ)を解析し（ステップＳ１）、ＥＩＴ（イベント情報テーブル：Ｅｖｅｎｔ  Ｉｎｆｏｒｍａｔｉｏｎ  Ｔａｂｌｅ）を抽出する（ステップＳ２）。
次に、抽出したＥＩＴをもとにイベントリストを作成し（ステップＳ３）、作成したイベントリストを参照してＥＰＧを作成し（ステップＳ４）、作成したＥＰＧを表示する（ステップＳ５）。なお、作成したイベントリスト及び／又はＥＰＧは、不揮発性メモリ４６に記録される。
【００３３】
なお、ＳＩとは番組選択の利便性のために規定された各種情報を意味し、(社)電波産業会において制定された規格(ＡＲＩＢ規格)で定義されている。ＳＩは、ＴＳ（Ｔｒａｎｓｐｏｒｔ  Ｓｔｒｅａｍ）中のＩＳＯ／ＩＥＣ１３８１８−１でユーザ定義可能として開放された領域を使用して、ＴＳに多重化されて放送局等から送信されており、テレビジョン受信機に対してＥＰＧに関する各種情報を提供する。
また、ＥＩＴは、イベント(番組を表すことが多い)情報を記述したテーブルで、前述したＳＩに含まれる各種情報の一つである。番組ごとに、開始時刻、番組時間、番組名、出演著、番組のジャンル等の情報をこのテーブルに記述することができる。テレビジョン受信機（デジタル放送受信機）は、主に、ＥＩＴをもとにＥＰＧを作成することができる。
【００３４】
図４（Ａ）は、イベントリストを模式的に示した図である。図に示したように、イベントリストは、例えば放送局に関する情報であるＳｅｒｖｉｃｅ情報５１毎に、例えば番組に関する情報であるＥｖｅｎｔ情報５２を時間順にリスト状に配列したものである。
Ｓｅｒｖｉｃｅ情報５１には、例えば、放送局のネットワークにおける識別子を示すＮｅｔｗｏｒｋＩＤ、このネットワークに固有な識別子を示すＯｒｉｇｉｎａｌＮｅｔｗｏｒｋＩＤ、放送局の識別子を示すＳｅｒｖｉｃｅＩＤ等が含まれる。
また、Ｅｖｅｎｔ情報５２には、放送局が放送する番組の識別子を示すＥｖｅｎｔＩＤ、この番組の放送開始終了時刻を示すＳｔａｒｔＴｉｍｅ，ＥｎｄＴｉｍｅ等が含まれる。
【００３５】
さらに、ＥＰＧ／ＯＳＤ／予約データ処理部３０は、図４（Ａ）のイベントリストを参照して、ＥＰＧ５３を作成すると共に、図４（Ｂ）に示すＥＰＧ５３の表示処理等を実行する。ユーザは、リモコン６等により、ＥＰＧ５３に表示された番組を選択し、視聴することができる。
【００３６】
以下に、本発明の特徴となるインターネット上に存在するコンテンツに関するガイド情報を提供するＥＰＧを作成する処理について説明する。
通常、コンテンツを配信するサイトは、コンテンツに関するデータ、例えばコンテンツ名、コンテンツの格納先を示すＵＲＬ、コンテンツのメタデータ等をＨＴＭＬ形式のデータ（以下、ＨＴＭＬデータと記す）でユーザに提供している。本発明では、このＨＴＭＬデータを受信し、受信したデータからコンテンツに関するデータを抽出し、抽出したコンテンツに関するデータから、前述したサイトに関する情報及びコンテンツに関するガイド情報を提供するＥＰＧを作成し、表示するものである。なお、コンテンツに関するデータが、ＨＴＭＬ形式だけでなくＸＭＬ形式で提供されていても、本発明を適用できることはいうまでもない。
【００３７】
図５は、コンテンツ用ＥＰＧの作成処理を説明するためのフロー図である。
ステップＳ１１で、不揮発性メモリ４６に格納されているコンテンツを配信しているサイト（サーバ）のＵＲＬを参照し、このサイトにコンテンツに関するデータが記述されたＨＴＭＬデータの送信要求（ＨＴＭＬリクエスト）を行う。このサイトのＵＲＬは、リモコン等を利用してユーザが更新することができる。なお、このＨＴＭＬデータには、コンテンツの格納先を示すＵＲＬ、コンテンツ名、コンテンツの作成時間等を示すタイムスタンプ、コンテンツのメタデータ（コンテンツが映画の場合には、主演者、監督名等）等が含まれている。
【００３８】
ステップＳ１２で、ＨＴＭＬリクエストに応じて、コンテンツを配信しているサイト（サーバ）が送信したＨＴＭＬデータを受信し、ステップＳ１３で、受信したＨＴＭＬデータを解析する。
【００３９】
ステップＳ１４で、ステップＳ１３における解析結果をもとに、コンテンツに関するデータを抽出する。抽出するデータとしては、例えば、コンテンツを配信するサイト（サーバ）名、コンテンツの格納先を示すＵＲＬ、コンテンツ名、コンテンツの作成時間等を示すタイムスタンプ、コンテンツのメタデータ（コンテンツが映画の場合には、主演者、監督名等）等がある。
【００４０】
ステップＳ１５で、抽出したコンテンツに関するデータをもとに、例えば、図４（Ａ）に示したイベントリストのサービス情報がコンテンツを配信するサイト（サーバ）名に対応するように、また、イベントリストのイベント情報がコンテンツ名及びコンテンツのＵＲＬに対応するようにイベントリストを作成する。さらに、ステップＳ１６で、作成したイベントリストからコンテンツ用ＥＰＧを作成し、不揮発性メモリ４６に記録する。また、不揮発性メモリ４６に記録すると同時に、ＥＰＧ／ＯＳＤ／予約データ処理部３０に出力する。
なお、作成したイベントリストを、不揮発性メモリ４６に記録し、当該イベントリストに基づいてＥＰＧ／ＯＳＤ／予約データ処理部３０により、コンテンツ用ＥＰＧを作成することもできる。
【００４１】
また、作成したイベントリスト又はコンテンツ用ＥＰＧを用いて、図３で説明したように、ＥＰＧ／ＯＳＤ／予約データ処理部３０において、コンテンツ用のＥＰＧの表示処理が実行される。ユーザは、リモコン６等により、コンテンツ用のＥＰＧに表示されたコンテンツを選択し、再生又は記録することができる。
【００４２】
図６は、コンテンツ用のイベントリストを模式的に示した図である。図に示したように、イベントリストは、例えばコンテンツを配信するサイトに関する情報であるＳｅｒｖｉｃｅ情報６１毎に、例えばこのサイトから配信されるコンテンツデータに関する情報であるＥｖｅｎｔ情報６２をリスト状に配列したものである。
Ｓｅｒｖｉｃｅ情報６１には、例えば、コンテンツを配信するサイトの名称を示すＳｅｒｖｉｃｅＮａｍｅ、このサイトのＵＲＬを示すＳｅｒｖｉｃｅＵＲＬ等が含まれる。
また、Ｅｖｅｎｔ情報６２には、コンテンツのコンテンツ名を示すＥｖｅｎｔＮａｍｅ、コンテンツのＵＲＬを示すＥｖｅｎｔＵＲＬ、コンテンツのメタデータを示すＥｖｅｎｔＩｎｆ等が含まれる。
【００４３】
図７はコンテンツ用のＥＰＧの一例を示す図である。
前述したように、コンテンツ用ＥＰＧは、コンテンツ用ＥＰＧ作成部３１で作成され、モニタ２に表示される。
コンテンツ用ＥＰＧ６３のサイト欄６３ａには、コンテンツを配信するサイト名（ＳｅｒｖｉｃｅＮａｍｅ）、コンテンツ欄６３ｂには、コンテンツ名（ＥｖｅｎｔＮａｍｅ）が表示されている。なお、コンテンツ名の他に、コンテンツのメタデータ等を表示してもよい。
【００４４】
図８では、図７に示したＥＰＧに表示されたコンテンツをカーソル６３ｃにて選択できるようにしている。
【００４５】
図９は、選択したコンテンツを視聴する処理を説明するためのフロー図である。ユーザがリモコン６又はテレビジョン受信装置１０の操作により、視聴したいコンテンツにカーソル６３ｃを移動させ、コンテンツを選択する（ステップＳ２１）。次に、選択したコンテンツの再生を指示する（ステップＳ２２）。
【００４６】
通信制御部４４は、選択されたコンテンツのＵＲＬ（不揮発性メモリ４６に記憶されている）を参照して、このＵＲＬで指定されたコンテンツにアクセスする（ステップＳ２３）。次に、アクセスしたコンテンツをビデオデコード／キャプチャ部１８及び／又はオーディオデコード部２０でデコードし（ステップＳ２４）、デコードしたデータをモニタ２及び／又はスピーカ３に出力する（ステップＳ２５）。このようにすることで、ユーザは、選択したコンテンツを視聴することができる。
【００４７】
また、ユーザがカーソルを移動させコンテンツを選択、そのコンテンツの録画を指示するとテレビジョン受信装置内、または、テレビジョン受信装置外のＨＤＤ等の記録装置又はＤＶＤディスク等の記録媒体に記録できるようにしてもよい。
【００４８】
また、携帯電話機、パソコンなどにテレビジョン受信装置１０と同等な機能を有するチューナー（セットトップボックス）を接続し又は搭載してもよい。
【００４９】
このようにすることで、ブラウザを使用せずに、インターネット上に存在する動画データ等のコンテンツを検索し、検索したコンテンツに関するガイド情報をＥＰＧとして表示することができる。
そのため、ユーザはＥＰＧの操作手順と同じ操作手順でコンテンツを視聴することができ、操作性が大きく向上する。
また、コンテンツ提供業者が作成したポータルサイトがなくてもインターネット上のコンテンツを視聴することができる。
【図面の簡単な説明】
【００５０】
【図１】本発明に係わるテレビジョン受信装置のネットワーク図である。
【図２】本発明に係わるテレビジョン受信装置の実施例を説明するためのブロック図である。
【図３】ＥＰＧに係わるイベントリストの作成処理等を説明するためのフロー図である。
【図４】図４（Ａ）はイベントリストを模式的に示した図で、図４（Ｂ）はＥＰＧの一例を示す図である。
【図５】コンテンツ用ＥＰＧに係わるイベントリストの作成処理を説明するためのフロー図である。
【図６】コンテンツ用ＥＰＧのイベントリストを模式的に示した図である。
【図７】コンテンツ用ＥＰＧの一例を示す図である。
【図８】コンテンツ用ＥＰＧの他の例を示す図である。
【図９】選択したコンテンツを視聴する処理を説明するためのフロー図である。
【符号の説明】
【００５１】
１…サイト（サーバ）、２…モニタ、３…スピーカ、４…アナログ放送用アンテナ、５…デジタル放送用アンテナ、６…リモコン、１０…テレビジョン受信装置、１１…アナログチューナー部、１２…ＡＶスイッチ部、１３…デジタルチューナー部、１４…デジタル復調部、１５…ネットワークインターフェース部、１６…ＩＰ放送チューナー部、１７…分離部、１８…ビデオデコード／キャプチャ部、１９…ビデオセレクタ部、２０…オーディオデコード部、２１…オーディオセレクタ部、２２…ビデオ出力変換部、２３…オーディオ出力変換部、２４…選局部、３０…ＥＰＧ／ＯＳＤ／予約データ処理部、３１…コンテンツ用ＥＰＧ作成部、４０…ＲＡＭ、４１…ＣＰＵ、４２…ビデオマウスコネクタ、４３…ビデオマウスマイコン、４４…通信制御部、４５…リモコン受光部、４６…不揮発性メモリ、５１…Ｓｅｒｖｉｃｅ情報、５２…Ｅｖｅｎｔ情報、５３…ＥＰＧ、６１…Ｓｅｒｖｉｃｅ情報、６２…Ｅｖｅｎｔ情報、６３…コンテンツ用ＥＰＧ、６３ａ…サイト欄、６３ｂ…コンテンツ欄、６３ｃ…カーソル。
【図１】
2008072163.tif 000003
【図２】
2008072163.tif 000004
【図３】
2008072163.tif 000005
【図４】
2008072163.tif 000006
【図５】
2008072163.tif 000007
【図６】
2008072163.tif 000008
【図７】
2008072163.tif 000009
【図８】
2008072163.tif 000010
【図９】
2008072163.tif 000011